(57)【要約】【課題】  ドアホン親機とドアホンサブ親機間の無線通信システムにおいて、屋内の設置場所や電子レンジ等の電波干渉等により通信状態が悪化し、ドアホン親機とドアホンサブ親機間の転送レートの低下や、ノイズの影響により音声信号や画像信号の品質が低下する問題点に対応する。【解決手段】  テレビドアホンシステムの親機とサブ親機の間でＢｌｕｅｔｏｏｔｈ等を用いた無線通信を行い、該親機側に、画像信号を一時格納する画像信号メモリ手段と、親機とサブ親機相互間の無線通信での電界強度の変化を検知する電界強度変化検知手段とを備え、該サブ親機側に、画像伸張を行うサブ親機画像処理部を備えて、該親機側において、前記無線通信での電界強度の変化の検知に応じて、ドアホン子機からの画像信号を前記親機側に備えられた前記画像信号メモリ手段に自動的に格納する無線通信システム。【選択図】        図１
2006311192.tif 000002
【特許請求の範囲】
【請求項１】
テレビドアホンシステムの親機とサブ親機の間でＢｌｕｅｔｏｏｔｈ等を用いた無線通信を行う無線通信システムにおいて、
該親機側に、画像信号のデジタル変換および画像圧縮を行う親機画像処理部と、画像信号を一時格納する画像信号メモリ手段と、親機とサブ親機相互間の無線通信での電界強度の変化を検知する電界強度変化検知手段とを備え、
該サブ親機側に、画像伸張を行うサブ親機画像処理部を備えており、
該親機側において、前記無線通信での電界強度の変化の検知に応じて、前記親機側から前記サブ親機側に送信するドアホン子機からの画像信号を前記親機側に備えられた前記画像信号メモリ手段に自動的に格納することを特徴とする無線通信システム。
【請求項２】
親機側に、画像信号を変換するビデオデコーダと、画像圧縮を行う画像圧縮部と、信号の送受信をＢｌｕｅｔｏｏｔｈ等の無線通信手段により行う無線制御部と、画像信号処理の制御と無線制御部の制御を行うマイコンと、通信信号の電界強度を検出する電界強度検出手段と、エラー情報検出手段とを備え、サブ親機側に、画像伸張を行う画像伸張部と、信号の送受信を無線により行う無線制御部と、画像信号処理の制御と無線制御部の制御を行うマイコンと、画像信号の電界強度を検出する電界強度検出手段とビット誤り率検出手段を備え、前記親機サブ親機間の通信状況を相互で観測し、それによって得られた電界強度検出手段とエラー情報検出手段又はビット誤り率検出手段の検出結果に基づいて、前記親機側での画像圧縮部及び前記サブ親機側での画像伸張部において、複数の量子化テーブルを備え、予め設定された複数個の画像圧縮方法及び画像伸張方法を選択する画像伸張法選択手段とを備え、前記電界強度検出手段の検出結果により無線通信システムの画像通信状態を表示する表示手段とで構成する無線通信システムにおいて、
前記親機サブ親機間の通信が保てないときに送信しようとしている画像信号を一時格納する画像信号メモリ手段を前記親機に有し、前記電界強度検出手段により検出された受信信号の電界強度の変化を検知する電界強度変化検知手段とを親機及びサブ親機に各々有し、通信信号の電界強度の変化に応じて親機側において画像信号を画像信号メモリ手段に自動的に格納することを特徴とする無線通信システム。
【請求項３】
請求項１または請求項２記載の無線通信システムにおいて、親機側に前記画像信号メモリ手段に自動的に格納されたドアホン子機からの画像信号を確認する表示手段を備えることを特徴とする無線通信システム。
【請求項４】
請求項１または請求項２記載の無線通信システムにおいて、サブ親機側に、前記親機とサブ親機相互間の無線通信状況が復帰した場合に、前記画像信号メモリ手段に自動的に格納されたドアホン子機からの画像信号を確認する表示手段を備えることを特徴とする無線通信システム。
【発明の詳細な説明】
【技術分野】
【０００１】
本発明は、無線により音声及び画像信号の通信を行うテレビドアホンシステムなどに使用する無線通信システムに関するものである。
【背景技術】
【０００２】
従来、一戸建てあるいはマンション等において、屋外に設置した来訪者をカメラ付きのドアホン子機により撮像した画像と受信した音声を、屋内に取り付けられて画像をモニターで見ながら音声応答できるドアホン親機と、屋内に取り付けられ親機と通信して画像をモニターで見ながら音声応答ができるドアホンサブ親機からなるドアホンシステムがある。また、ドアホン親機とドアホンサブ親機間の通信には、配線接続による有線ドアホンシステムと無線を使用した無線ドアホンシステムがある。
ドアホン親機とサブ親機間の画像と音声を無線通信するシステムに関しては、下記の特許文献１が知られている。これは図８にその構成図を示すようにドアホン親機とサブ親機間の通信を無線化することでサブ親機設置時または、増設時に配線工事が必要ないシステムを提供するものである。
【特許文献１】特開２０００−２２４３１６号公報
【発明の開示】
【発明が解決しようとする課題】
【０００３】
しかしながら、従来のテレビドアホンに使用される無線ドアホンシステムおけるドアホン親機とドアホンサブ親機間の無線通信では、屋内の設置場所や電子レンジ等の電波干渉等により通信状態が悪化し、ドアホン親機とドアホンサブ親機間の転送レートの低下や、ノイズの影響により音声信号や画像信号の品質が低下するという問題があった。
【０００４】
本発明は、上述の問題点を解決するためになされたものであって、通信システム使用時において、ドアホン親機とドアホンサブ親機間の通信状態の変化を自動的に検知して、通信状態が悪くなった場合に、送信中の画像信号を送信側の機器において自動的にメモリに格納し、通信状態が途絶え通信が遮断され、音声通信内容が無い場合においても、その時の画像送信内容について、来訪者が誰であったか、どんな行動をして行ったのかなどの防犯上の安全等を後から確認できるテレビドアホンに使用される屋内の無線ドアホンシステムを提供することを目的としている。
【課題を解決するための手段】
【０００５】
上記目的を達成する為に、本発明の無線通信システムは、テレビドアホンシステムの親機とサブ親機の間でＢｌｕｅｔｏｏｔｈ等を用いた無線通信を行う無線通信システムであって、該親機側に、画像信号のデジタル変換および画像圧縮を行う親機画像処理部と、画像信号を一時格納する画像信号メモリ手段と、親機とサブ親機相互間の無線通信での電界強度の変化を検知する電界強度変化検知手段とを備え、該サブ親機側に、画像伸張を行うサブ親機画像処理部を備え、該親機側において、前記無線通信での電界強度の変化の検知に応じて、前記親機側から前記サブ親機側に送信する、ドアホン子機からの画像信号を前記親機側に備えられた前記画像信号メモリ手段に自動的に格納するように構成されるものである。
【０００６】
また、本発明の無線通信システムは、親機側に画像信号を変換するビデオデコーダと、画像圧縮を行う画像圧縮部と、信号の送受信にＢｌｕｅｔｏｏｔｈ等を用いた無線により行う無線制御部と、画像信号と無線制御部を制御するマイコンと通信信号の電界強度を検出する電界強度検出手段とエラー情報検出手段を備え、サブ親機側に画像伸張を行う画像伸張部と、信号の送受信を無線により行う無線制御部と、画像信号と無線制御部を制御するマイコンと通信信号の電界強度を検出する電界強度検出手段とビット誤り率検出手段を備え、親機サブ親機間の通信状況を相互で観測し、それによって得られた電界強度検出手段とエラー情報検出手段又はビット誤り率検出手段の検出結果に基づいて、親機側での画像圧縮部及びサブ親機側での画像伸張部において、複数の量子化テーブルを備え、予め設定された複数備える画像圧縮方法及び画像伸張方法を選択する画像伸張法選択手段とを備え、電界強度検出手段の検出結果により無線通信システムの画像通信状態を表示する表示手段とで構成する無線通信システムにおいて、親機サブ親機間の通信が保てないときに送信しようとしている画像信号を一時格納する画像信号メモリ手段を親機に有し、該電界強度検出手段により検出された受信信号の電界強度の変化を検知する電界強度変化検知手段を親機及びサブ親機に各々有し、通信信号の電界強度の変化に応じて親機側において画像信号を画像信号メモリ手段に自動的に格納するように構成されるものである。
【０００７】
また、本発明の無線通信システムは、親機側に前記画像信号メモリ手段に自動的に格納されたドアホン子機からの画像信号を確認する表示手段を備えるか、あるいは、サブ親機側に、前記親機とサブ親機相互間の無線通信状況が復帰した場合に、前記画像信号メモリ手段に自動的に格納されたドアホン子機からの画像信号を確認する表示手段を備えるように構成されるものである。
【０００８】
また、本発明の無線通信システムにおいては、送信側に有する画像信号メモリ手段の画像信号格納の有無を、送信側の機器に表示する表示手段からなる構成を付加することが望ましい。このような構成を有する無線通信システムによると、親機及びサブ親機間の画像通信時において、通話中に何らかの原因で通信が遮断したため、完全に送信出来なかった画像信号をメモリに格納していることを一目見て直感的に使用者に伝えることが可能となり、使用者にその内容の確認を促すことができる無線ドアホンシステムを提供することができる。
【０００９】
また、本発明の無線通信システムにおいては、親機側画像信号メモリ手段の画像信号格納の有無を、サブ親機側に自動的に通知する通知手段と、サブ親機側において親機側機器内の画像信号格納の有無を表示する表示手段と、サブ親機から親機の親機画像信号メモリ手段の画像信号の送信を指示する送信指示手段とからなる構成を付加することが望ましい。このような構成を有する無線通信システムによると、親機及びサブ親機間の画像通信時において、通話中に何らかの原因で通信が遮断したため、完全に送信出来なかった画像信号を親機側画像メモリ手段に格納していることを、親機及びサブ親機間の通信が復帰したときに、受信側に先ほどの通話が途絶えたときの送信画像が送信側メモリに格納していることを通知することができ、使用者は通話の内容を送信側から呼び出して受信側にて確認することができる無線通信システムを提供することができる。
【００１０】
また、本発明の無線通信システムにおいては、送信側の画像信号メモリ手段に画像信号を格納する際に、映像信号をそのまま圧縮することなく格納するように画像信号メモリ手段への格納信号を処理する画像信号格納処理手段からなる構成を付加することが望ましい。このような構成を有する無線通信システムによると、親機及びサブ親機間の画像通信時において、通話中に何らかの原因で通信が遮断したため、完全に送信出来なかったため画像信号を画像信号メモリ手段に格納する映像信号について、画像圧縮・画像伸張方法による画像品質劣化の影響を受けることなく格納できる。そのため、使用者が格納している画像を確認する際に鮮明な画像をみることが可能となる無線通信システムを提供することができる。
【００１１】
また、本発明の無線通信システムにおいては、送信側の画像信号メモリ手段に画像信号を格納する際に、予め設定された時間分の画像データを格納するために、予め設定された複数備える画像圧縮方法及び画像伸張方法を選択する画像伸張法選択手段のなかから、画像信号メモリ手段の格納容量に応じて、信号データ量が最適なとなるように、画像伸張法選択手段を自動的に選択するように画像信号メモリ手段を制御する画像信号格納処理手段とからなる構成を付加してなるものである。このような構成を有する無線通信システムによると、親機及びサブ親機間の画像通信時において、通話中に何らかの原因で通信が遮断したため、完全に送信出来なかったため画像信号を画像信号メモリ手段に格納する映像信号について、予め設定しておいた時間分の画像信号データを、画像信号メモリ手段の格納容量内で、出来るだけ画像信号の品質を落とさずに格納できる。そのため、使用者が格納している画像を確認する際に予め設定しておいた時間分の映像信号を画像の品質を確保しながら確認することが可能となる無線通信システムを提供することができる。
【００１２】
また、本発明の無線通信システムにおいては、送信側の画像信号メモリ手段に画像信号を格納する際に、予め設定した時間毎の静止画として画像信号メモリ手段に格納するように、画像信号メモリ手段を制御する画像信号格納処理手段（３）とからなる構成を付加することが望ましい。このような構成を有する無線ドアホンシステムによると、親機及びサブ親機間の画像通信時において、通話中に何らかの原因で通信が遮断したため、完全に送信出来なかったため画像信号を画像信号メモリ手段に格納する映像信号について、予め設定しておいた時間毎の画像信号データを、静止画として画像信号メモリ手段に格納するためデータ量を小さくすることが出来、画像信号の品質を落とすことなく長時間にわたって映像信号を格納できる無線通信システムを提供することができる。
【発明の効果】
【００１３】
本発明に係る無線通信ステムによると、通信システム設置時や使用時において、ドアホン親機とドアホンサブ親機間の通信状態の変化を自動的に検知して、通信状態が悪くなった場合に、通信中の画像信号を送信側の機器において自動的にメモリに格納し、通信状態が途絶え通話が遮断された際の画像信号を後から確認することができるテレビドアホンに使用される屋内の無線ドアホンシステムに適用可能な無線通信システムを提供することができる。
【００１４】
また、無線にＢｌｕｅｔｏｏｔｈを用い、ＢｌｕｅｔｏｏｔｈのＡＣＬリンクを使用した画像信号の通信において、親機４０からの送信信号をサブ親機４１で受信する事で、電界強度レベルを検出し、且つビット誤り率を検出することができる。親機４０とサブ親機４１間の通信状態が悪化した場合、電界強度レベルとビット誤り率を検出する事で、画像信号を転送する際に圧縮率の異なる量子化テーブルを使用し、通信状態の悪化により転送レートが落ちた場合でも、転送する画像の圧縮率を大きくする事で、転送をスムーズにし、画像信号の劣化を最小限に抑えることができる。また、量子化テーブルの選択の際に２つの電界強度検出の閾値を使用することでヒステリシスをもたせ、一つの閾値を使用する場合に比べ、閾値付近に電界強度レベルがあった場合の処理のふらつきを抑えることができる。さらに、通信状態を表示手段で表示することにより、使用者に無線ドアホンシステムが動作中（通信可能若しくは通信中である）又は、通信環境の異常若しくは故障等で機器が動作状態に無いことを目で見える形で知らせ、使用者に動作状況の判断をしやすくさせることができる。
【００１５】
また、図１においてドアホン子機からの来訪者に対する応対を、親機を介してサブ親機で行うような親機サブ親機通信中において、通信環境の変化による親機電界強度検出部１８よりの電界強度レベル出力の変動を親機電界強度変化検知部６９が検知し、検知結果を親機マイコン４６に通知し、親機マイコン４６が通信状態を維持できないと判断した際に、サブ親機側に送信する画像信号データを親機画像信号メモリ部６８に格納するように親機マイコン４６は親機画像信号メモリ部６８を制御する。これにより、何らかの原因で来訪者との通話が途絶えている場合においても親機側に来訪者の画像が記録されていることになる。来訪者は室内親機サブ親機間の通信が途絶えていることが判らないために室内側の親機若しくはサブ親機からの応答が無いために不在と考え音声での伝言等を残すことなく立ち去ることになる。機器使用者は親機側に移動した際に親機にて来訪者が来ていたことを映像で確認することができる。また、親機サブ親機間の通信環境が復帰した後にサブ親機から来訪者が来ていたことを映像で確認することができる。また、親機サブ親機間で通話している場合においても同様に後から通信が途絶えた期間の映像を確認することができる。これにより、音声での伝言等の情報が無い場合においても来訪者が誰であるかを確認し、防犯上の安全を確認することができる。
【発明を実施するための最良の形態】
【００１６】
本発明の無線ドアホンシステムは、ドアホン親機とドアホンサブ親機間の通信にＢｌｕｅｔｏｏｔｈを用い、無線通信状態が悪いことを使用者に知らせ、通信システムの通信環境状況を確認することが可能となり、常に良好な環境下で通信システムを保持することができ、画像信号の劣化を最小限に抑え、できるだけ信号の伝送を維持するようにするとともに、何らかの原因により通信が途絶え信号の伝送が維持できなくなった際に、送信しようとしていた画像信号を自動的にメモリ装置に格納し、後からその画像を確実に確認することで来訪者の確認や防犯上の安全確認を行うことができることを特徴とするものである。
【００１７】
図１に基づいて本発明の実施形態について説明する。図１において、４０は親機、４１はサブ親機、４２は親機ビデオデコーダ、４３は親機画像圧縮部、４４は親機画像圧縮処理用メモリ、４５は親機画像圧縮方法選択部、４６は親機マイコン、４７は親機送信用信号処理部、４８は親機受信用信号処理部、４９は親機送信部、５０は親機受信部、５１は親機送受信切り替えスイッチ、５２は親機エラー情報検出部、５３は親機無線制御部、５４は親機アンテナ、５５はサブ親機画像伸張部、５６はサブ親機画像伸張処理用メモリ、５７はサブ親機画像伸張方法選択部、５８はサブ親機マイコン、５９はサブ親機送信用信号処理部、６０はサブ親機受信用信号処理部、６１はサブ親機送信部、６２はサブ親機受信部、６３はサブ親機送受信切り替えスイッチ、６４はサブ親機電界強度検出部、６５はサブ親機ビット誤り率検出部、６６はサブ親機無線制御部、６７はサブ親機アンテナ３８サブ親機表示部である。親機無線制御部５３とサブ親機無線制御部６６は、Ｂｌｕｅｔｏｏｔｈベースバンドチップが好ましい。
【００１８】
ドアホン子機（図示省略）からのＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）信号などの画像信号を親機４０で受け、画像信号をサブ親機４１に送信し、親機４０とサブ親機４１間の通信にはＢｌｕｅｔｏｏｔｈのＡＣＬ（Ａｓｙｎｃｈｒｏｎｏｕｓ  Ｃｏｎｎｅｃｔｉｏｎ  Ｏｒｉｅｎｔｅｄ）リンクを使用する場合について説明する。子機からのＮＴＳＣ信号などの画像信号を親機ビデオデコーダ４２に入力し、親機ビデオデコーダ４２でＹＵＶ信号などの画像信号（デジタル信号）に変換される。親機ビデオデコーダ４２で変換された信号は、ＬＣＤ（Ｌｉｑｕｉｄ  Ｃｒｙｓｔａｌ  Ｄｉｓｐｌａｙ）などのモニター（図示省略）に出力され、一方では、親機画像圧縮部４３へ送られる。親機画像圧縮部４３へ送られた画像信号は、親機画像圧縮処理用メモリ４４を使用して、画像信号を圧縮する。
画像圧縮方法にはＪＰＥＧ（Ｊｏｉｎｔ  Ｐｈｏｔｏｇｒａｐｈｉｃ  Ｅｘｐｅｒｔｓ  Ｇｒｏｕｐ）符号化方式やＭＰＥＧ−４（Ｍｏｖｉｎｇ  Ｐｉｃｔｕｒｅ  Ｅｘｐｅｒｔｓ  Ｇｒｏｕｐ  Ｐｈａｓｅ４）符号化方式が望ましい。圧縮された画像信号は、親機マイコン４６のＩ／Ｏポートを使用して取り込まれる。親機マイコン４６に取り込まれた画像信号は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）などの論理的なインターフェースを介して、親機無線制御部５３内の親機送信用信号処理部４７に送られる。親機送信用信号処理部４７では、誤り検出符号が付加され、誤り検出符号が付加された音声信号は、暗号化処理とデータの白色化処理と誤り訂正符号化処理される。信号処理された画像信号は、親機送信部４９にて変調され、親機送受信切り替えスイッチ５１を介して親機アンテナ５４から送信される。親機アンテナ５４から送信された信号は、サブ親機アンテナ６７で受信される。サブ親機アンテナ６７で受信された信号は、サブ親機無線制御部６６内のサブ親機送受信切り替えスイッチ６３を介してサブ親機受信部６２で受信され信号は復調される。復調された画像信号は検出されたタイミングに従ってサンプリングされた後、サブ親機受信用信号処理部６０にて、誤り訂正、逆白色化、暗号解読、誤り検出の各機能に応じた処理を行う。サブ親機受信用信号処理部６０で信号処理された画像信号は、ＵＡＲＴなどの論理的なインターフェースを介してサブ親機マイコン５８へ取り込まれる。サブ親機マイコン５８に取り込まれた画像信号は、サブ親機画像伸張部５５へ送られる。親機画像伸張部５５へ送られた画像信号は、サブ親機画像伸張処理用メモリ５６を使用して、画像信号を伸張する。画像伸張方法にはＪＰＥＧ符号化方式やＭＰＥＧ−４符号化方式が望ましい。伸張された画像信号は、ＬＣＤなどのモニター（図示省略）に出力される。
【００１９】
親機４０からサブ親機４１へ画像信号を送信した時、親機ではアンテナ５４及び親機送受信切り替えスイッチ５１を介して受信した信号の電界強度の検出を親機電界強度検出部１８にて行われる。電界強度のレベルはＲＳＳＩ値で表し、ＲＳＳＩ値を検出して、検出結果を親機マイコン４６へ送る。サブ親機ではアンテナ６７及びサブ親機送受信切り替えスイッチ６３を介して受信した信号の電界強度の検出をサブ親機電界強度検出部６４にて行われる。電界強度のレベルはＲＳＳＩ値で表し、ＲＳＳＩ値を検出して、検出結果をサブ親機マイコン５８へ送る。このように、親機サブ親機相互の機器においてＲＳＳＩ値を観測して、親機サブ親機において適宜必要な制御を行う。
【００２０】
一方、親機４０からサブ親機４１へ画像信号を送信した時、サブ親機アンテナ６７及びサブ親機送受信切り替えスイッチ６３を介して受信した信号のビット誤り率の検出をサブ親機ビット誤り率検出部６５にて行われる。ビット誤り率の検出は、ＣＲＣ（Ｃｙｃｌｉｃ  Ｒｅｄｕｎｄａｎｃｙ  Ｃｈｅｃｋ）のデータを検出して、検出結果をサブ親機マイコン５８へ送る。さらにサブ親機マイコン５７の制御により表示部３８に、親機−サブ親機間の通信状態が維持できている場合は、例えば緑色ＬＥＤを点灯し、また、通信状態にない若しくは通信が維持できない場合は例えば緑色ＬＥＤを消灯させる。すなわち、表示手段の表示により、使用者に無線ドアホンシステムが動作中（通信可能若しくは通信中である）又は、通信環境の異常若しくは故障等で機器が動作状態に無いことを目で見える形で知らせ、使用者に動作状況の判断をしやすくさせることができる。
【００２１】
図２にサブ親機マイコン５８の制御によりサブ親機画像伸張方法選択部５７の画像伸張方法の選択動作である電界強度検出とビット誤り率検出及び表示制御のフローチャートを示す。図２のフローは、まず、ステップＳ１で親機４０からサブ親機４１へ送信された信号の電界強度とビット誤り率を検出する。ステップ２で通信状態が維持できているかを判別し、通信状態が維持できている場合は動作状態としてステップ３で表示部３８（例えば緑色ＬＥＤ）を点灯させる。ステップ２で通信状態が維持できていない場合はステップ１１で表示部３８（例えば緑色ＬＥＤ）を消灯させる。ステップＳ４で検出した電界強度が予め設定した閾値Ａより低レベル以下か否かを判別する。ステップＳ４電界強度が閾値Ａより低レベル以下であれば、ステップＳ６でサブ親機画像伸張部５５で使用される量子化テーブルＴ１が選択され、ステップＳ７へ進む。量子化テーブルＴ１はサブ親機画像伸張方法選択部５７に予め設定されている。ステップＳ４で電界強度が閾値Ａより低レベル以下でなければ、ステップＳ４の状態を維持したままステップＳ５に進み、ビット誤り率が高レベルか否かを判別する。ステップＳ５でビット誤り率が予め設定した閾値より高レベルであるならば、ステップＳ６に進み、量子化テーブルＴ１を選択され、ステップＳ７へ進む。ステップＳ５でビット誤り率が閾値より高レベルで無いならば、ステップＳ５の状態を維持したままステップＳ７へ進む。ステップＳ７で検出した電界強度が予め設定した閾値Ｂより高レベルか否かを判断する。電界強度が閾値Ｂより高レベル以上であれば、ステップＳ９でサブ親機画像伸張部５５で使用される量子化テーブルＴ２が選択され、ステップＳ１０へ進む。量子化テーブルＴ２はサブ親機画像伸張方法選択部５７に予め設定されている。ステップＳ７で電界強度が閾値Ｂより高レベル以上でなければ、ステップＳ７の状態を維持したままステップＳ８に進み、ビット誤り率が低レベルか否かを判別する。ステップＳ８でビット誤り率が予め設定した閾値より低レベル以下であるならば、ステップＳ９に進み、量子化テーブルＴ２が選択され、ステップＳ１０へ進む。ステップＳ８でビット誤り率が閾値より低レベル以下で無いならば、ステップＳ８の状態を維持したままステップＳ１０へ進む。ステップ１０では、選択した量子化テーブルの情報を含むエラー情報を親機４１に送信する。予め設定された２つの閾値の大小関係は、閾値Ａ＜閾値Ｂであり、また、２種類の量子化テーブルにおいて、圧縮率の強弱関係は、量子化テーブルＴ１＞量子化テーブルＴ２である。サブ親機４１の電源投入時やリセット復帰時の初期状態は量子化テーブルＴ２を選択している状態である。
【００２２】
親機４０側では、サブ親機４１の図２のフローチャートを基に得られたエラー情報を受信し、図３に示すフローチャートの処理を行う。親機４０において、ステップＳ２１ではサブ親機４１からの図２のフローチャートを基に得られたエラー情報信号を受信する。ステップＳ２２では、エラー情報検出部５２でエラー情報信号を検出する。ステップＳ２３では、検出したエラー情報信号を基に、親機画像圧縮方法選択部４５で使用される量子化テーブルの選択を行う。この時、選択される量子化テーブルは、サブ親機４１側と同じ量子化テーブルＴ１または量子化テーブルＴ２が選択される。量子化テーブルは予め親機画像圧縮方法選択部４５にて設定されている。
【００２３】
また、親機において親機画像信号メモリ部６８に何らかの通信データを格納した際に、マイコン１１は表示部３７にデータ格納があることの表示をするように制御する。これは、前記通話状態を表示する表示部とは異なる表示部を用意してもよいし，表示部を共用するため点灯状態を点滅させたり色を変えたりして表示パターンを変えることで表示してもよい。
【００２４】
また、親機サブ親機間の通信環境が改善され、通信状況が復帰したときに、親機４０において親機画像信号メモリ部６８に何らかの通信データを格納されている場合、親機マイコン４６は親機通信制御部２０を制御して親機４１側に親機画像信号メモリ部６８にデータ格納が有ることをサブ親機表示部３８に表示させるように自動的に制御信号を送出し、制御信号を受け取ったサブ親機マイコン５８はサブ親機表示部３８に親機４０に通信遮断時の画像の記録があることを表示して、使用者に知らせることができるようにする。
【００２５】
図４に通信画像メモリ作動判別及び表示制御のフローチャートを示す。図４のフローは、親機４０側において、まず、ステップＳ１で親機４０親機４１間が通信状態にあるかを検出し、通信状態に有れば、通信環境の電界強度をステップ２で検出する。ステップ３において、電界強度レベルが通信状態を維持でき無いレベルへ変化しているかどうかを判断し、閾値以上の場合はステップ１１で通話が終了しているかどうか判断し、通話が継続している場合は引き続き電界強度レベルの変動を検知すべくステップ２に戻り、通話が継続している間中電界強度レベルの変動を検知しつづける。電界強度レベルが閾値以下の場合、ステップ４で送信データがあるかどうかを判断し，なければ記録するべきデータがないので通話終了とみなしステップ７で通話環境改善のためのＬＥＤ表示等を行う。ステップ４で送信通話データがある場合は、ステップ５で親機画像信号メモリ部を作動させデータを格納する。そしてステップ６で、送信側の機器の表示部にデータが格納されている旨の表示を行う。そしてステップ８で電界強度レベルが通信を維持できるレベル以上に復帰しているか判断し、していない場合はステップ１２で通話環境改善のためのＬＥＤ表示等を行い、通信環境が復帰するまで表示を継続する。ステップ８で電界強度レベルが通信を維持できるレベルに復帰していたときには、ステップ９で自動的に受信がわに画像信号データが送信側にあることを通知する。画像信号データが送信側にあることを通知を受けた受信側は使用者にデータが送信側あることを伝えることができる。
【実施例】
【００２６】
本発明の実施形態の別局面について、図５に基づいて説明する。図５においてドアホン子機からの来訪者に対する応対を、親機を介してサブ親機で行うような親機サブ親機通信中において、通信環境の変化による親機電界強度検出部１８よりの電界強度レベル出力の変動を親機電界強度変化検知部６９が検知し、検知結果を親機マイコン４６に通知し、親機マイコン４６が通信状態を維持できないと判断したとき、親機４０の画像信号メモリ６８に画像信号を格納する。そのとき、画像信号格納処理部（１）７０は、親機マイコン４６の指示により画像信号メモリ６８に映像信号をそのまま圧縮することなく格納するように制御する。これにより、親機及びサブ親機間の画像通信時において、通話中に何らかの原因で通信が遮断したため、完全に送信出来なかったため画像信号を画像信号メモリ６８に格納する映像信号について、画像圧縮・画像伸張方法による画像品質劣化の影響を受けることなく格納できる。そのため、使用者が格納している画像を確認する際に鮮明な画像をみることが可能となる無線ドアホンシステムを提供することができる。このとき、格納される画像信号データは画像圧縮処理を行っていないため、そのデータの量は大きくなる。そのため、システムを構成している画像信号メモリ６８の容量によって格納される画像信号の時間はきまってしまう。
【００２７】
また、本発明の実施形態の別局面について、図６に基づいて説明する。図６においてドアホン子機からの来訪者に対する応対を、親機を介してサブ親機で行うような親機サブ親機通信中において、通信環境の変化による親機電界強度検出部１８よりの電界強度レベル出力の変動を親機電界強度変化検知部６９が検知し、検知結果を親機マイコン４６に通知し、親機マイコン４６が通信状態を維持できないと判断したとき、親機４０の画像信号メモリ６８に画像信号を格納する。親機４０の画像信号メモリ６８に画像信号を格納する際に、入力される画像信号データを圧縮せずに画像信号メモリ６８に格納すると、格納された画像信号の品質は良好であるが有限の格納容量の画像信号メモリ６８に格納できる画像信号の長さが限られてくる。そこで、あらかじめ設定された所望の時間（例えば３０秒等）の画像信号を格納するために、画像信号格納処理部（２）７１は、親機マイコン４６の指示により画像信号メモリ６８に映像信号を格納する際に予め設定された時間分の画像データを格納するために、予め設定された複数備える画像圧縮方法及び画像伸張方法を選択する画像伸張法選択方法のなかから、画像信号メモリ６８の格納容量に応じて、信号データ量が最適なとなるように、画像伸張法選択方法を制御する。これにより、親機及びサブ親機間の画像通信時において、通話中に何らかの原因で通信が遮断したため、完全に送信出来なかったため画像信号を画像信号メモリ６８に格納する映像信号について、予め設定しておいた時間分の画像信号データを、画像信号メモリ６８の格納容量内で、出来るだけ画像信号の品質を落とさずに格納できる。そのため、使用者が格納している画像を確認する際に予め設定しておいた時間分の映像信号を画像の品質を確保しながら確認することが可能となる無線ドアホンシステムを提供することができる。また、圧縮したデータをメモリに格納するため、画像信号のデータ量がある程度小さく設定できるため、画像圧縮処理用メモリと共用し、構成する部品をへらすことも可能となる。
【００２８】
また、本発明の実施形態の別局面について、図７に基づいて説明する。図７においてドアホン子機からの来訪者に対する応対を、親機を介してサブ親機で行うような親機サブ親機通信中において、通信環境の変化による親機電界強度検出部１８よりの電界強度レベル出力の変動を親機電界強度変化検知部６９が検知し、検知結果を親機マイコン４６に通知し、親機マイコン４６が通信状態を維持できないと判断したとき、親機４０の画像信号メモリ６８に画像信号を格納する。親機４０の画像信号メモリ６８に画像信号を格納する際に、入力される画像信号データを圧縮せずに画像信号メモリ６８に格納すると、格納された画像信号の品質は良好であるが有限の格納容量の画像信号メモリ６８に格納できる画像信号の長さが限られてくる。そこで、高品質の画像信号をより多くの時間分格納するために、画像信号格納処理部（３）７２は、親機マイコン４６の指示により画像信号メモリ６８に映像信号を格納する際に、入力画像信号を予め設定された時間毎、（例えば１秒毎等）に静止画として切り出して格納するように制御する。これにより、親機及びサブ親機間の画像通信時において、通話中に何らかの原因で通信が遮断したため、完全に送信出来なかったため画像信号を画像信号メモリ６８に格納する映像信号について、予め設定しておいた時間毎に画像信号の品質を落とすことなく、データ量も小さな画像信号データを格納できる。そのため、使用者が格納している画像を確認する際に、高品質の画像を長時間分確認することが可能となる無線ドアホンシステムを提供することができる。
【図面の簡単な説明】
【００２９】
【図１】本発明の無線ドアホンシステムの実施形態を示す構成図である。
【図２】本発明の無線ドアホンシステムの実施形態の画像通信におけるサブ親機側の量子化テーブル選択手段及び表示制御を示すフローチャートである。
【図３】本発明の無線ドアホンシステムの実施形態の画像通信における親機側のエラー情報検出手段を示すフローチャートである。
【図４】本発明の無線ドアホンシステムの実施形態の画像信号メモリ作動判別及び表示制御のフローチャートである。
【図５】本発明の無線ドアホンシステムの異なる実施形態を示すシステム構成例の図である。
【図６】本発明の無線ドアホンシステムの異なる実施形態を示すシステム構成例の図である。
【図７】本発明の無線ドアホンシステムの異なる実施形態を示すシステム構成例の図である。
【図８】従来のテレビドアホンシステムの構成例の図である。
【符号の説明】
【００３０】
３７．親機表示部
３８．サブ親機表示部
４０．親機
４１．サブ親機
４２．親機ビデオデコーダ
４３．親機画像圧縮部
４４．親機画像圧縮処理用メモリ
４５．親機画像圧縮方法選択部
４６．親機マイコン
４７．親機送信用信号処理部
４８．親機受信用信号処理部
４９．親機送信部
５０．親機受信部
５１．親機送受信切り替えスイッチ
５２．親機エラー情報検出部
５３．親機無線制御部
５４．親機アンテナ
５５．サブ親機画像伸張部
５６．サブ親機画像伸張処理用メモリ
５７．サブ親機画像伸張方法選択部
５８．サブ親機マイコン
５９．サブ親機送信用信号処理部
６０．サブ親機受信用信号処理部
６１．サブ親機送信部
６２．サブ親機受信部
６３．サブ親機送受信切り替えスイッチ
６４．サブ親機電界強度検出部
６５．サブ親機ビット誤り率検出部
６６．サブ親機無線制御部
６７．サブ親機アンテナ
６８．親機画像信号メモリ部
６９．親機電界強度変化検知部
７０．画像信号格納処理部（１）
７１．画像信号格納処理部（２）
７２．画像信号格納処理部（３）
７３．サブ親機電界強度変化検知部
【図１】
2006311192.tif 000003
【図２】
2006311192.tif 000004
【図３】
2006311192.tif 000005
【図４】
2006311192.tif 000006
【図５】
2006311192.tif 000007
【図６】
2006311192.tif 000008
【図７】
2006311192.tif 000009
【図８】
2006311192.tif 000010